(57)【要約】【課題】  雑草の生育防止として、手間を要せず、大量生産に適した、雑草の種子の飛来があっても雑草が生えないキリンソウの育成方法を提供する。【解決手段】  培養土を覆う被覆材の一部を部分的に切断あるいは穴あけによってキリンソウの植込み部を確保し、前記植込み部にキリンソウの苗を植込み緑化を行うキリンソウの育成方法であって、前記キリンソウの苗の植込み後に、前記キリンソウの植込み部のキリンソウと前記被覆材との隙間を、カルボキシメチルセルロースと、酸または酸水溶液との混練あるいは浸漬によって製造したハイドロゲルによって埋め込むことを特徴とするキリンソウの育成方法である。【選択図】  図１
2012029588.tif 000002
【特許請求の範囲】
【請求項１】
培養土を覆う被覆材の一部を部分的に切断あるいは穴あけによってキリンソウの植込み部を確保し、前記植込み部にキリンソウの苗を植込み、緑化を行うキリンソウの育成方法であって、前記キリンソウの苗の植込み後に、前記キリンソウの植込み部のキリンソウと前記被覆材との隙間にハイドロゲルを敷設することを特徴とするキリンソウの育成方法。
【請求項２】
前記キリンソウは、常緑のキリンソウであることを特徴とする請求項１に記載のキリンソウの育成方法。
【請求項３】
前記ハイドロゲルは、カルボキシメチルセルロースに、酸または酸水溶液を加え、混練する、あるいは、カルボキシメチルセルロースを水に溶解し、酸または酸水溶液に浸漬することによって製造するハイドロゲルであることを特徴とする請求項１又は請求項２に記載のキリンソウの育成方法。
【発明の詳細な説明】
【技術分野】
【０００１】
本発明は、屋上緑化、壁面緑化、法面緑化あるいは造園等におけるキリンソウの育成方法に関し、より具体的には、キリンソウの植苗に際して、ハイドロゲルによる雑草の生育を阻害させるキリンソウの育成方法に関する。
【背景技術】
【０００２】
一般に屋上緑化及び壁面緑化には次のような効果が考えられている。
１）都市環境の改善：ヒートアイランド現象の緩和及び大気の浄化
２）建築物の保護：紫外線や酸性雨による劣化の防止
３）省エネルギー：特に夏季は建築物の断熱性能の向上
４）アメニティの創出：景観の改善による生理・心理的な快適感向上
屋上緑化の中でも伝統的な工法である「庭園型」は、その歴史は古く、多くの先達の工夫と経験により、施工や維持管理について一定の手法が確立している。
【０００３】
土壌が薄い薄層型では、用いられる植物の品種がセダム類や芝などの地被類に限定されているが、土壌が厚い庭園型では多種類の植物を選択することが可能である。
【０００４】
薄層型屋上緑化は、平成８年に屋上緑化先進国のドイツからセダムを用いた緑化技術の導入をしたのが本格的な始まりである。その後、都市環境の改善効果が認められ、行政の推進策を受けるなどして着実に施工面積が増加している。その結果、現在の年間施工面積の８０％以上が薄層型屋上緑化で、その大多数がセダムを主体とした緑化である。
【０００５】
表１に、「庭園型」「薄層型」の緑化方式について、その特徴点の優劣の比較状況を示す。
これによると、「薄層型」は、「庭園型」に対して美観の点では若干落ちるが、潅水依存性、費用の面では圧倒的に優位である。
「薄層型」においては、植物種が芝よりもセダムが圧倒的に優位にある。
【０００６】
【表１】
2012029588.tif 000003
ところが、セダムによる屋上緑化は、軽量であり、次に記載のようなメリットがある反面、従来から緑化に使用されている芝や苔類と同様に、屋上に土を運搬した後に苗床を作って苗植えを行うため、次のようなデメリットがあり、必ずしも緑化がうまくいっているとはいえない状況であった。
〔メリット〕
１）断熱効一乗で建物への熱負荷を減らす。
２）微気象を改善する。
３）音を吸収して、騒音を低減させる。
４）ほこりを吸着して空気を清浄にする
５）近接部への照り返しを小さくする。
６）直射日光から守り防水層の寿命を延ばす。
７）動植物に新たな生息地を与える。
〔デメリット〕
１）屋上に土の負荷が掛かり、屋上床の劣化が早まる。
２）自然現象により土が飛散するとともに、苗床の破損が早まる。
３）風で運搬されてくる雑草の種子が苗床で成育し、苗の成育さらに苗の生長を阻害する。
４）土の運搬と苗の運搬が別々になり、作業工程に無駄がでる。
５）スレート屋根のような構造の屋根では、緑化ができない。
【０００７】
そこで、本発明の出願人である株式会社フジタでは、セダムによらず、日本に古来から自生するキリンソウに着目し、従来は落葉種であったものを常緑種への品種改良を試み、常緑のキリンソウ（非特許文献１）にすると共に、施工方式も、袋状のパックに常緑のキリンソウの苗を植えつけた状態で出荷し、現地で袋状のパックを並べることによって、軽量で、かつ、簡易に緑化施工を完成させる方法を見出した。
これにより、前記セダムによる屋上緑化の前記〔デメリット〕の１）２）４）５）についての解決を可能とした。
【０００８】
ここで、屋上緑化に利用されている代表的な植物についての屋上緑化への適合性についての評価結果を表２に示す。
比較する植物は、本発明で利用する常緑のキリンソウ、セダムの代表としてメキシコマンネングサ、従来から緑化に利用されている芝、コケである。
常緑のキリンソウは、耐陰性（室内）、成長速度の点で、コケ、メキシコマンネングサに対して評価が低いが、その他の評価項目では圧倒的に優位であり、屋上緑化に非常に適していることが判る。
【０００９】
【表２】
2012029588.tif 000004
しかしながら、袋状のパックにキリンソウを植え付け、サンプル試験として自社で育成したところ、空気中から飛来する雑草の種子により、多くのキリンソウの苗の成育が阻害され、緑化が必ずしもうまくいかないことが判った。
【００１０】
この対策として、袋状のパックのキリンソウ植え付け部を部分的に切断して、キリンソ
ウの苗を植え、その後、雑草の種子の飛来防止として、キリンソウの苗の植え付け部に円形の蓋を被せることにした。この方法によると、雑草の種子の飛来があっても雑草が生えないことは確認できたが、蓋の製作、蓋の取付け等で多大な手間を要し、大量生産には適さないという問題があった。
【先行技術文献】
【特許文献】
【００１１】
【特許文献１】特開２００８−０６９３１５号  公報
【特許文献２】特開２００３−３２５０３６号  公報
【非特許文献】
【００１２】
【非特許文献１】http://www.kirinsou.com/  「屋上緑化・壁面緑化・法面緑化・セダム緑化の常緑キリンソウ.com」
【非特許文献２】http://www.kirinsou.com/category/1357341.html  「常緑キリンソウ袋方式・ＦＴＭバッグ・緑の夢袋プロジェクト」
【発明の概要】
【発明が解決しようとする課題】
【００１３】
本発明は、前記背景技術の問題点に鑑み、袋状のパックのキリンソウ植え付け部を部分的に切断して、キリンソウの苗を植え、その後、雑草の生育防止として、手間を要せず、大量生産に適した、雑草の種子の飛来があっても雑草が生えないキリンソウの育成方法を提供することを課題とする。
【００１４】
キリンソウは酸性に強い植物であり、一般に雑草は酸性に弱いことから、雑草の生育防止として、手間を要せず、大量生産に適した蓋材の代替材に酸性のハイドロゲルを利用し、キリンソウは生育するが、雑草は生育しないキリンソウの育成方法を提供することにある。
【課題を解決するための手段】
【００１５】
本発明の第１の発明は、培養土を覆う被覆材の一部を部分的に切断あるいは穴あけによってキリンソウの植込み部を確保し、前記植込み部にキリンソウの苗を植込み緑化を行うキリンソウの育成方法であって、前記キリンソウの苗の植込み後に、前記キリンソウの植込み部のキリンソウと前記被覆材との隙間にハイドロゲルを敷設することを特徴とするキリンソウの育成方法である。
【００１６】
本発明の第２の発明は、第１の発明に付加して、前記キリンソウは、常緑のキリンソウであることを特徴とするキリンソウの育成方法である。
【００１７】
本発明の第３の発明は、第１あるいは第２の発明に付加して、前記ハイドロゲルは、カルボキシメチルセルロース（以下、ＣＭＣと称す。）に、酸または酸水溶液を加え、混練する、あるいは、ＣＭＣを水に溶解し、酸または酸水溶液に浸漬することによって製造するハイドロゲルであることを特徴とするキリンソウの育成方法である。
【発明の効果】
【００１８】
本発明を実施することにより次のような効果を実現できる。
本発明による〔緑化〕の面では、
（１）キリンソウの植込み部のキリンソウと培養土の被覆材との隙間に、酸性のハイドロゲルを敷設することによって、雑草の生育を阻害することが出来る。
（２）また、キリンソウが常緑のキリンソウであるために、雑草がなく、１年中常緑の緑化が実現できる。
（３）また、ハイドロゲルは、天然パルプを原料としたＣＭＣを主成分とし、酸または酸水溶液は、酢酸、乳酸、クエン酸あるいはリン酸等の人体に害のない酸を使用するため、生分解性が良好であると同時に、人体への安全性の高いキリンソウの育成方法を実現できる。
（４）また、ハイドロゲルは保湿性があるため、キリンソウの培養土に対する水分あるいは湿度の調節機能を持ち、極度の乾燥を防止することができる。
（５）さらに、常緑のキリンソウは炎に対して非常に強い植物で、炎に当ると常緑のキリンソウは炭化するのみで、発火することがなく、防炎性ある植物である。ところが、雑草が混入することで、雑草により防炎性が低下するようになるが、本発明を適用することによって雑草の生育を阻止し、常緑のキリンソウが本来持っている防炎性を充分発揮することができるようになり、壁面緑化等に好適なものとなる。
本発明の〔製造面〕では、
（６）キリンソウと培養土の被覆材との隙間に敷設するハイドロゲルは、当然のことながらゲル状（液体）であるために、敷設するに際して、特別な装置は不要となる。
グリス充填ポンプ、モルタル吹き付け用スプレーガンあるいは刷毛によるハイドロゲルの敷設等を適宜選択することで、手間を要せず、大量生産に適したキリンソウの育成方法を実現できる。
（７）さらに、上記のように特別な装置が不要となるため、（ａ）袋状のパックにキリンソウを植え付け、かつ、ハイドロゲルを敷設した状態に製造し、緑化施工現場へ供給するか、あるいは、（ｂ）キリンソウの植え付け、およびハイドロゲルの敷設の全てを緑化施工現場で行うか等の施工方法について、緑化の現場の事情によって、自由に選択することが可能となる。
（８）本発明の応用として、ハイドロゲルを使用するため、酸性に強い植物が緑化の対象となることは制約条件となるが、一般の畑でのマルチシート（被覆材）と本発明のハイドロゲルによるキリンソウの育成方法を応用することにより、雑草のない野菜栽培等を実現することができる。
【図面の簡単な説明】
【００１９】
【図１】本発明のキリンソウの育成方法の一実施例を示す図である。
【図２】本発明のキリンソウの育成方法の他の実施例の断面図を示す図である。
【図３】本発明のキリンソウの育成方法による常緑のキリンソウの生育試験結果を示す図である。
【発明を実施するための形態】
【００２０】
本発明のキリンソウの育成方法は、培養土を覆う被覆材の一部を部分的に切断あるいは穴あけによってキリンソウの植込み部を確保し、前記植込み部にキリンソウの苗を植込み、緑化を行うキリンソウの育成方法であって、前記キリンソウの苗の植込み後に、前記キリンソウの植込み部のキリンソウと前記被覆材との隙間にハイドロゲルを敷設するように構成されたキリンソウの育成方法である。
【００２１】
キリンソウは、日本各地の山地や海岸の乾いた岩の上などに自生する在来植物であり、その特徴は、乾燥や暑さに対する抵抗力は極めて強く、耐多湿性や耐寒性も極めて優れた植物である。
一般に、キリンソウはセダムの１種と勘違いされているが、「Illustrated handbook of succulend plants 多肉植物便覧（ドイツ）」によると、学名「ベンケイソウ科キリンソ
ウ属キリンソウ」であり、セダムとは全く種類が異なる植物である。
【００２２】
ただ、自生のキリンソウは落葉種であり、自生のキリンソウを緑化に利用する場合は、秋、冬についての緑化についての機能は果たせないこととなる。
【００２３】
そのため、緑化として1年を通して緑化を保つ、いわゆる、常緑性を持たせる意味から
、本発明の出願人である株式会社フジタにおいて、キリンソウから品種改良された常緑のキリンソウ（トットリフジタ１号・種苗登録１５８６６号、トットリフジタ２号・種苗登録１５８６７号）が好ましい。
特に、この常緑のキリンソウは、多年草で、かつ、木質化しやすく、非常に丈夫な植物であり、多年緑化を実現するには好適である。
【００２４】
また、この常緑のキリンソウは、９月頃新芽を出し、春頃には、相当の葉を伸ばし、一般の植物が新芽を出すのを阻害する機能を有している。
【００２５】
培養土は、土性、すなわち保水性、保肥性、通気性、排水性、酸性度（アルカリ度）、有機物含有度ならびに清潔度（危険物、病原菌等）等を、緑化対象の植物にあわせて適宜選択し調整するものとするが、本発明においては、特に限定されるものではなく、一般的な畑の土等でも良い。
【００２６】
被覆材は、前記培養土が風雨等の自然現象によって飛散することを防止する、さらには、風で運搬されてくる雑草の種子が培養土に付着し、生育することを防ぐ機能を持つものであれば、特に限定されるものではないが、生分解性ある材料であるのが望ましい。
具体的には、非特許文献２に記載の袋タイプ（ざぶとん型、筒型）、あるいは、一般の畑で使用しているマルチシート等、緑化現場の状況によって適宜選択することができる。
【００２７】
ハイドロゲルは、雑草の種子の飛来があっても雑草を生させない雑草の生育防止機能、培養土に対する水分あるいは湿度の調節機能、極度の乾燥を防止、ならびに緑化従事者に対する安全性を有する機能が要求される。
そこで、特許文献１：特開２００８−０６９３１５号公報に記載のカルボキシメチルセルロースゲル（以下、ＣＭＣゲルと称す。）を使用する。
【００２８】
このＣＭＣゲルは、天然パルプを原料とする安全性の高いカルボキシメチルセルロースアルカリ塩（ＣＭＣの別称）に、食品や医薬品等の分野別に認可されている安全性の高い酸または酸水溶液を加え混練することによって、またはＣＭＣを水に溶解させ、ペースト状にした後、そのペースト状ＣＭＣを酸または酸水溶液に浸漬させることによって製造するものである。
ＣＭＣは、ダイセル化学工業株式会社製のＣＭＣ１１９０、１３５０、１３８０等、日本製紙ケミカル株式会社製のＰＮ２０Ｌ、ＰＮ５０Ｃ、Ｂ３Ｂ等があるが、このＣＭＣに限定されるものではなく、他社製を含めて、粘度、置換度（エーテル化度）等の条件を基に適宜選択して使用する。
酸または酸水溶液は、クエン酸、乳酸、リン酸、酢酸、蟻酸、マレイン酸、シュウ酸、塩酸および硫酸と、何れの酸も利用できるが、ＣＭＣゲルの製造ならびに緑化施工段階での安全性を考慮すると、クエン酸、乳酸、リン酸、酢酸が好ましい。
【００２９】
培養土を覆う被覆材の一部を部分的に切断あるいは穴あけによってキリンソウの植込み部を確保することについては、非特許文献１、２に記載のように、予め被覆材に縫いこんだファスナー式によって実施することもできる。
【００３０】
前記キリンソウの植込み部のキリンソウと前記被覆材との隙間にハイドロゲルを敷設することについては、（１）ハイドロゲルを完全に充填する、（２）ハイドロゲルがまばらな状態で隙間がある、（３）常緑のキリンソウとハイドロゲルの間に隙間がある、（４）ハイドロゲルが被覆材の下へ入り込んでいる、等のいずれの状態においても、本発明の雑草の生育防止機能を有するものである。
【実施例１】
【００３１】
本発明のキリンソウの育成方法の実施例を図１、図２を基に説明する。
図１ａ）ｂ）は、非特許文献２に記載の袋タイプ（ざぶとん型）の土嚢袋方式に本発明のキリンソウの育成方法を適用した図である。
５００ｍｍ×５００ｍｍの矩形の土嚢袋２に培養土３を充填し密閉した状態で、土嚢袋２の常緑のキリンソウ１の植え込み部（図示せず）、この図では８ヶ所に切り込みをいれ、各々の切り込み部に常緑のキリンソウ１を植え、合計８本の常緑のキリンソウ１を植え込み、切り込み部と常緑のキリンソウ１との間に、ハイドロゲル４を充填した。
ハイドロゲル４の充填は、刷毛により切り込み部と常緑のキリンソウ１の隙間が完全に被覆されるように塗布した。
図１ｃ）は、非特許文献２に記載の袋タイプ（筒型）の土嚢袋方式に本発明のキリンソウの育成方法を適用した図である。
１００ｍｍ×１０００ｍｍの矩形の土嚢袋２に培養土３を充填し密閉した状態で、土嚢袋２の常緑のキリンソウ１の植え込み部（図示せず）、この図のでは３カ所に切り込みをいれ、各々の切り込み部に常緑のキリンソウ１を植え、合計３本の常緑のキリンソウ１を植え込み、切り込み部と常緑のキリンソウ１との間に、ハイドロゲル４を充填した。
ハイドロゲル４の充填は、刷毛により切り込み部と常緑のキリンソウ１の隙間が完全に被覆されるように塗布した。
【００３２】
実際の緑化施工は、図１ａ）ｂ）による袋タイプ（ざぶとん型）の土嚢袋、あるいは、図１ｃ）による袋タイプ（筒型）の土嚢袋を、製造工場において製作、発送し、校庭、公園、工場空き地等の広域緑化領域、建屋屋上の広域緑化領域、あるいは、ビルの壁面等の緑化対象領域に、これらの袋タイプの土嚢袋を敷き詰めることによって緑化施工工事が完成することとなり、非常に短期間に工事を完成させることができる。
【００３３】
図２は、広域の緑化を対象としたキリンソウの育成方法の応用例を示したものである。広大な領域を対象とするため、現地での緑化施工を前提としたものであるが、前記の土嚢袋２の代わりにマルチシート２を使用する方法である。
培養土３（この場合は、現地の土をそのまま使用）をマルチシート２で被覆する。
その後、常緑のキリンソウ１の植え込み部に、所定の間隔で切り込みを入れ、各切り込み部に常緑のキリンソウ１を植え込んでいく。植え込み完了後、ＣＭＣゲルを収納したグリス充填ポンプ（可搬型）によって、切り込み部と常緑のキリンソウ１との隙間をＣＭＣゲルで被覆する。
この方式による現地の施工工事は、前記図１の袋タイプ（ざぶとん型）、袋タイプ（筒型）の土嚢袋方式に比較して手間が掛かるが、製造工場からの発送が常緑のキリンソウのみでよいため、輸送コストを低減することができる。
【実施例２】
【００３４】
本発明で使用する植物である常緑のキリンソウの生育が、ＣＭＣゲルによって阻害されることがないかの相性確認試験を行なった。
【００３５】
使用するＣＭＣゲルは、特許文献１の特開２００８−０６９３１５号公報に記載の方法によって製造したが、ゲル化に使用する酸は、取除かずそのまま使用することとした。
相性確認試験用サンプルとして、ゲル１〜ゲル４を製造したが、使用したＣＭＣならびに酸の種類とＣＭＣゲルの状況を表３に示す。
【００３６】
【表３】
2012029588.tif 000005
また、ＣＭＣの置換度（エーテル化度）のゲル化に対する影響を同時に確認する為に、ダイセル化学工業株式会社製ＣＭＣの置換度が異なる２種類、ＣＭＣ１１９０、１３５０を使用した。
【００３７】
酸は、ＣＭＣゲルを製造した後に取除かないで使用することを考慮して、人体に害のない、安全性の高いクエン酸を使用した。
ＣＭＣゲルの酸性度は、バラツキはあるが、ゲル調整時のｐＨは１〜２で、ゲルができた後のｐＨは２〜３の範囲の強い酸であった。
【００３８】
相性確認試験のための常緑のキリンソウ植苗状態を図３ａ）に示す。
具体的には、常緑のキリンソウを植苗した２日後に、４つの鉢に左上の鉢を起点として時計回りに、ゲル１、ゲル２、ゲル３およびゲル４を、常緑のキリンソウの周囲５ｃｍの範囲の培養土表面に施工（ゲルの量、１箇所当り約２５ｇ）して常緑のキリンソウの生育状態を確認した。
【００３９】
図３ｂ）は、常緑のキリンソウの植苗後の７週間経過時の状態を示す写真である。
同図の白丸部（破線）で示すように、常緑のキリンソウの新芽が確認された。その生育状態は、目視ではあるが、通常のゲルを使用しない状態での常緑のキリンソウと差異がなく、生育していることが確認でき、合わせて、雑草の生育がないことも確認できた。
【００４０】
さらに、前記試験と同時に、中央部に常緑のキリンソウの植苗なしで、かつ、ＣＭＣゲルの処置をしない鉢を置き、何もしない状態のものの変化を確認したが、雑草の生育は認められなかった。
【００４１】
雑草の植生についての確認は、前記の確認後１．５年の長期にわたり経過観察した結果、中央部の常緑麒麟草の植苗なし、ＣＭＣゲルの処置をしない鉢では、雑草の生育が見られたが、ゲル１〜ゲル４の鉢については、雑草の生育は見られなかった。
【００４２】
この結果、常緑のキリンソウとＣＭＣゲルとの相性はよく、かつ、常緑のキリンソウにＣＭＣゲルの処理をしたものは、雑草の育成を阻害するのに非常に有効であることが確認できた。
【００４３】
ＣＭＣゲルは、ＣＭＣゲルと酸とが混在した不完全ゲルを使用したため、ＣＭＣゲル内部で保持する酸と、ＣＭＣゲルに混在している酸が培養土中に溶出し、培養土表面と培養土中の両面から雑草の生育を阻害させるため、１．５年と長期間の効果が持続できたものと考察する。
【００４４】
また、酸は、クエン酸を例に説明したが、ＣＭＣをゲル化し、適度の酸性度（ｐＨ２〜３）を保持するために使用するものであり、人体に悪影響を及ぼさない点を考慮すると、
クエン酸、乳酸、リン酸、酢酸のいずれも適用することが可能である。
【実施例３】
【００４５】
本発明で使用するＣＭＣゲルが、単独の使用で雑草の生育阻止に効果があるかの確認試験を行った。
【００４６】
確認試験に使用したＣＭＣゲルは、ＣＭＣ１３５０、ＣＭＣ１３８０、ＣＭＣ１１９０、さらには、ＣＭＣのみを水に溶解したもの(ゲルではない)、ゲルなし（培養土のまま）である。
また、雑草の種類は、ＣＭＣゲルとの相性、あるいは雑草種類によるばらつきを考慮してイヌビエ、エノコログサ、オヒシバおよびメヒシバの４種類とした。
【００４７】
前記の６種類のＣＭＣゲルを、１種類ごとに培養土に被覆した鉢を準備して、試験ＮＯ．１〜６とし、これらの鉢上に前記雑草を１０粒ずつ植え込み、雑草の発芽を確認した。雑草の播種後２７日目の確認試験結果を表４に示す。
【００４８】
【表４】
2012029588.tif 000006
試験ＮＯ．１〜４は、本発明のＣＭＣゲルを培養土の上に塗布し、その上に、雑草を播種した鉢であるが、いずれの雑草も発芽しなかった。この表で、分母は雑草の播種数、分子は雑草の発芽数を表している。
一方、試験ＮＯ．５のＣＭＣを水で溶いたもの（ゲルでなく、酸性でもない）、試験ＮＯ．６のＣＭＣゲルなしのもの（培養土のまま）については、雑草の発芽が確認された。
この結果から、酸によって製造したＣＭＣゲルは、いずれの濃度の酸でも、雑草の生育阻止に効果があることがわかった。
【符号の説明】
【００４９】
１  キリンソウ（常緑のキリンソウ）
２  被覆材（土嚢袋、マルチシート）
３  培養土
４  ハイドロゲル
【図１】
2012029588.tif 000007
【図２】
2012029588.tif 000008
【図３】
2012029588.tif 000009